Podtech/llm-jp-corpus-v4-ja_patent huggingface dataset:
【手続補正書】
【提出日】平成21年6月16日(2009.6.16)
【手続補正１】
【補正対象書類名】明細書
【補正対象項目名】００２３
【補正方法】変更
【補正の内容】
【００２３】
また、シリンダ孔２０の両端部には、凹部の開口部側となる部位に内周面に沿ってリング溝２２ａ、２２ｂがそれぞれ形成され、前記リング溝２２ａ、２２ｂには、金属製材料から断面略Ｕ字状に形成された係止リング２４ａ、２４ｂがそれぞれ装着される。
【手続補正２】
【補正対象書類名】明細書
【補正対象項目名】００３９
【補正方法】変更
【補正の内容】
【００３９】
さらに、ロッドカバー１６の外周面には、環状溝を介してＯリング３８ｂが装着され、前記ロッドカバー１６がシリンダチューブ１２のシリンダ孔２０に装着された際、該シリンダ孔２０の内周面に当接することによって気密が保持される。
【手続補正３】
【補正対象書類名】明細書
【補正対象項目名】００４１
【補正方法】変更
【補正の内容】
【００４１】
本体部６６は、略平面状に形成され、その中央部に所定半径からなる孔部７０が形成されると共に、前記孔部７０を中心とした略十字状の溝部７２が形成される。この溝部７２は、ピストン１８の当接可能な本体部６６の一端面側に形成されると共に、孔部７０の外周側から該孔部７０の中心に対して９０°間隔で４本形成されて前記本体部６６の側端部まで延在している。なお、この溝部７２の形状及び本数はこれに限定されるものではなく、本体部６６の側端部と孔部７０との間を接続するものであればよい。
【手続補正４】
【補正対象書類名】明細書
【補正対象項目名】００４５
【補正方法】変更
【補正の内容】
【００４５】
この第２ダンパ６４の装着されるロッドカバー１６の他端部には、略中央部が矩形状に窪んだ凹部７６が形成され、該凹部７６には本体部６６が装着される。この凹部７６の深さは、本体部６６の厚さに対して浅く設定されているため、図９に示されるように、前記本体部６６の一部が前記ロッドカバー１６の他端面に対して若干だけ突出する。すなわち、第２ダンパ６４を構成する本体部６６が、ロッドカバー１６の他端面から突出することによってピストン１８が該ロッドカバー１６に対して直接接触することが防止され、ピストン１８からロッドカバー１６に付与される衝撃を緩衝可能となる。なお、ピストンロッド５８は、第２ダンパ６４の孔部７０に挿通された後、ロッド孔５６に挿通されて支持されている。
【手続補正５】
【補正対象書類名】明細書
【補正対象項目名】００４８
【補正方法】変更
【補正の内容】
【００４８】
そして、図１に示されるように、シリンダチューブ１２のシリンダ孔２０に対してヘッドカバー１４及びロッドカバー１６を装着した後に、該シリンダ孔２０に形成されたリング溝２２ａ、２２ｂに対してそれぞれ係止リング２４ａ、２４ｂを装着することにより、前記ヘッドカバー１４及びロッドカバー１６が凸部３６ａ、３６ｂと係止リング２４ａ、２４ｂによって固定されることとなる。この際、ヘッドカバー１４及びロッドカバー１６が、シリンダチューブ１２の端面から突出することがないと共に、第１及び第２ダンパ４０、６４がそれぞれピストン１８に対峙するように配置されている（図１参照）。
【手続補正６】
【補正対象書類名】明細書
【補正対象項目名】００５３
【補正方法】変更
【補正の内容】
【００５３】
また、ピストン１８の内部には、軸線方向（矢印Ａ、Ｂ方向）に沿って貫通したピストン孔８８が形成され、前記ピストン孔８８にはピストンロッド５８の連結部９０が挿通される。このピストン孔８８は、ヘッドカバー１４側（矢印Ａ方向）に拡径部を有し、前記拡径部に対してピストンロッド５８の連結部９０が加締められて係合されることにより、前記ピストン１８がピストンロッド５８の段部９２との間に係止され、一体的に連結される。
【手続補正７】
【補正対象書類名】図面
【補正対象項目名】図５
【補正方法】変更
【補正の内容】
【図５】
2009068557.tif 000001
【手続補正８】
【補正対象書類名】図面
【補正対象項目名】図１０
【補正方法】変更
【補正の内容】
【図１０】
2009068557.tif 000002
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
径方向内方に向かって先細になっている先細部の先端が軸の外周面に接触させられるようになっている環状のシールリップを備え、このシールリップは上記先細部の空気側傾斜面に沿って延在していて軸方向に対して周方向に傾斜している複数のリブを有しているオイルシールであって、
上記リブは、上記先細部の先端縁から軸方向に所定の寸法だけ延在していて空気側傾斜面からの突出寸法が略一定である平行部と、
上記平行部から軸方向に所定の寸法だけ延在しており、上記平行部から離れている部分ほど上記平行部に比べて突出寸法が大きくなっていると共に上記平行部の稜線に一致した位置から延びる稜線を有する斜高部とを含んでいることを特徴とするオイルシール。
【請求項２】
径方向内方に向かって先細になっている先細部の先端が軸の外周面に接触させられるようになっている環状のシールリップを備え、このシールリップは上記先細部の空気側傾斜面に沿って延在していて軸方向に対して周方向に傾斜している複数のリブを有しているオイルシールであって、
上記リブは、上記先細部の先端縁から軸方向に所定の寸法だけ延在していて空気側傾斜面からの突出寸法が略一定である平行部と、
この平行部が摩耗したときにポンプ能力を補うべく、上記平行部から軸方向に所定の寸法だけ延在しており、上記平行部から離れている部分ほど上記平行部に比べて突出寸法が大きくなっていると共に上記平行部の稜線と一致した位置から延びる稜線が延在方向に沿って直線である斜高部とを含んでいることを特徴とするオイルシール。
【請求項３】
請求項１または２に記載のオイルシールにおいて、
上記平行部の稜線は延在方向に沿って直線であることを特徴とするオイルシール。
【請求項４】
請求項１乃至３のいずれか１つに記載のオイルシールにおいて、
上記リブの断面が三角形であることを特徴とするオイルシール。
【請求項５】
請求項１乃至４のいずれか１つに記載のオイルシールにおいて、
上記先細部は、上記先端縁に関して上記空気側傾斜面とは軸方向反対側に油側傾斜面を備え、
上記リブの平行部の先端面が上記油側傾斜面と面一になっていることを特徴とするオイルシール。
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
下記（Ａ）及び（Ｂ）成分を含有することを特徴とする熱硬化性樹脂組成物。
（Ａ）：炭素数２〜２０のアルキル置換基を有するフェノールノボラック又は二重結合を含む脂環式化合物のフェノール付加物
（Ｂ）：下記（b1）と（b2）とを重合して得られるエポキシ基含有エチレン系共重合体
（b1）エチレン及び／又はプロピレン
（b2）下記一般式（１）で表される単量体
2009068015.tif 000001
（式中、Ｒは二重結合を有する炭素数２〜１８の炭化水素基を表し、該炭化水素基には、ハロゲン原子、水酸基、カルボキシル基が置換していてもよい。Ｘは単結合又はカルボニル基を表す。）
【請求項２】
アルキル置換基を有するフェノールノボラックが、炭素数２〜２０のアルキル基を置換したフェノールとホルムアルデヒドとの縮合物であることを特徴とする請求項１に記載の熱硬化性樹脂組成物。
【請求項３】
アルキル置換基を有するフェノールノボラックが、炭素数４〜１８のアルキル基を置換したフェノールとホルムアルデヒドとの縮合物であることを特徴とする請求項１に記載の熱硬化性樹脂組成物。
【請求項４】
（ｂ2）に由来する構造単位の含有量が（Ｂ）成分のエポキシ基含有エチレン系共重合体１００重量部に対して、１〜３０重量部であることを特徴とする請求項１〜３のいずれかに記載の熱硬化性樹脂組成物。
【請求項５】
（Ｂ）成分が、（b1）と（b2）と下記（b3）とを重合して得られる共重合体であることを特徴とする請求項１〜４のいずれかに記載の熱硬化性樹脂組成物。
（b3）：エチレンと共重合可能な官能基を有し、エポキシ基と反応し得る官能基を有しない単量体であって、（b1）及び（b2）とは異なる単量体
【請求項６】
（Ｂ）成分のエポキシ基含有エチレン系共重合体における（ｂ1）に由来するエチレン単位の含有量が、（Ｂ）成分１００重量部に対し、３０〜７５重量部であることを特徴とする請求項１〜５のいずれかに記載の熱硬化性樹脂組成物。
【請求項７】
（Ａ）成分、及び（Ｂ）成分の重量比率が、（Ａ）／（Ｂ）＝４／９６〜５０／５０であることを特徴とする請求項１〜６のいずれかに記載の熱硬化性樹脂組成物。
【請求項８】
さらに、酸化防止剤（Ｃ）を含有することを特徴とする請求項１〜７のいずれかに記載の熱硬化性樹脂組成物。
【請求項９】
（Ｃ）成分として、フェノール系酸化防止剤、リン系酸化防止剤、イオウ系酸化防止剤からなる群から選ばれる少なくとも一種の酸化防止剤を含有することを特徴とする請求項８に記載の熱硬化性樹脂組成物。
【請求項１０】
請求項１〜９のいずれかに記載の熱硬化性樹脂組成物と下記（Ｄ）成分とを含有する接着剤。
（Ｄ）：有機溶媒及び／又は水
【請求項１１】
（Ｄ）成分１００重量部に対する（Ａ）及び（Ｂ）成分合計重量が１０〜１５０重量部であることを特徴とする請求項１０に記載の接着剤。
【請求項１２】
請求項１０又は１１に記載の接着剤を支持基材に塗工し、乾燥して得られる接着性フィルム。
【請求項１３】
請求項１〜９のいずれかに記載の熱硬化性樹脂組成物を押出成形してなる接着性フィルム。
【請求項１４】
請求項１２又は１３に記載の接着性フィルムを、さらに電子線で照射してなることを特徴とする接着性フィルム。
【請求項１５】
請求項１４に記載の接着性フィルムが、電子線を複数回、照射してなることを特徴とする接着性フィルム。
【請求項１６】
請求項１２〜１５のいずれかに記載の接着性フィルムと被着体とを積層し、熱硬化して得られる積層体。
【手続補正２】
【補正対象書類名】明細書
【補正対象項目名】００１１
【補正方法】変更
【補正の内容】
【００１１】
二重結合を含む脂肪族化合物のフェノール付加物とは、ポリブタジエンなどの共役ジエン化合物の単独重合物や、α−オレフィンと共役ジエン化合物との共重合物などの二重結合を含む脂肪族化合物にフェノール、クレゾール、レゾルシン、前記アルキル置換基を有するフェノール等のフェノール類を反応させたものである。フェノール類としては、中でもフェノールが好適である。
二重結合を含む脂肪族化合物のフェノール付加物として、例えば、日石特殊フェノール樹脂「ＰＰ」シリーズ（日本石油化学（株）製）などが市販されている。
【手続補正３】
【補正対象書類名】明細書
【補正対象項目名】００１２
【補正方法】変更
【補正の内容】
【００１２】
二重結合を含む脂環式化合物のフェノール付加物とは、セスキテルペンなどのテルペン系樹脂などの二重結合を含む脂環式化合物にフェノール類を反応させたものである。付加されるフェノール類としては、フェノールが好適である。
二重結合を含む脂環式化合物のフェノール付加物として例えば、「ＹＰ−９０ＬＬ」（ヤスハラケミカル（株）製）、日石特殊フェノール樹脂「ＤＰＰ」シリーズ（日本石油化学（株）製）、日石特殊フェノール樹脂「ＤＰＡ」シリーズ（日本石油化学（株）製）などの市販品を用いてもよい。
二重結合を含む脂環式化合物のフェノール付加物としては、ポリブタジエンとテルペン系樹脂との混合物等とフェノールとの反応生成物なども含まれる。
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
接触分解油を分留して５容量％留出温度が２５〜４３℃、かつ９５容量％留出温度が５５〜１００℃である接触分解軽質留分を得る第１工程、
第１工程で得られた接触分解軽質留分を、吸着または収着機能をもった脱硫剤と接触させ、若しくは硫黄化合物の抽出が可能な溶媒で抽出することにより脱硫処理して硫黄分が３質量ｐｐｍ以下の脱硫軽質留分を得る第２工程、および
第２工程で得られた脱硫軽質留分と他のガソリン基材とを混合する第３工程
を含む、硫黄分が１質量ｐｐｍ以下である無鉛ガソリン組成物の製造方法。
【請求項２】
第３工程において、１０〜４５容量％の脱硫軽質留分と９０〜５５容量％の他のガソリン基材とを混合する請求項１記載の無鉛ガソリン組成物の製造方法。
【請求項３】
第２工程において、銅、亜鉛、ニッケルおよび鉄から選ばれる少なくとも１種を含む多孔質脱硫剤と接触分解軽質留分とを接触させて脱硫処理する請求項１または２記載の無鉛ガソリン組成物の製造方法。
【請求項４】
第２工程において、スルフォラン、３−メチルスルフォラン、２、４−ジメチルスルフォラン、３−エチルスルフォラン、ジエチレングリコール、トリエチレングリコール、テトラエチレングリコール、Ｎ−メチル−２−ピロリドン、Ｎ−エチル−２−ピロリドン、Ｎ−プロピル−２−ピロリドン、Ｎ−ホルミルモルホリン、ジメチルスルホキシド、ジエチルスルホキシド、メチルエチルスルホキシド、ジプロピルスルホキシド、炭酸エチレン、および炭酸プロピレンから選ばれる少なくとも１種を含む抽出溶媒を用いる抽出処理によって接触分解軽質留分を脱硫処理する請求項１または２記載の無鉛ガソリン組成物の製造方法。
【請求項５】
接触分解軽質留分のチオフェン含有量が硫黄分として２.５質量ｐｐｍ以下である請求項１〜４のいずれかに記載の無鉛ガソリン組成物の製造方法。
【請求項６】
第１工程の分留を行う前に、予め接触分解油に対し、含まれる硫黄化合物の分子量を大きくする前処理を行う請求項１〜５のいずれかに記載の無鉛ガソリン組成物の製造方法。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
自動製氷機と、この自動製氷機を制御する制御装置とを備えた冷蔵庫において、
前記制御装置は、
当該冷蔵庫の運転時間をカウントする運転時間カウント手段を具備し、
前記運転時間カウント手段がカウントする当該冷蔵庫の運転時間が所定の時間を超えた場合、製氷にかかる時間が、前記運転時間カウント手段がカウントする当該冷蔵庫の運転時間が所定の時間を超えない場合より長くなるように、前記自動製氷機の製氷完了の条件を変更することを特徴とする冷蔵庫。
【請求項２】
自動製氷機と、この自動製氷機を制御する制御装置とを備えた冷蔵庫において、
前記制御装置は、
前記自動製氷機の動作回数をカウントする動作回数カウント手段を具備し、
前記動作回数カウント手段がカウントする前記自動製氷機の動作回数が所定の回数を超えた場合、製氷にかかる時間が、前記動作回数カウント手段がカウントする前記自動製氷機の動作回数が所定の回数を超えない場合より長くなるように、前記自動製氷機の製氷完了の条件を変更することを特徴とする冷蔵庫。
【請求項３】
前記自動製氷機は、製氷皿と、この製氷皿の温度を検知する温度センサとを備え、
前記自動製氷機の製氷完了の条件は、前記温度センサの検知する前記製氷皿の温度が所定の温度以下を、所定時間以上継続する場合に製氷完了とすることを特徴とする請求項１又は請求項２記載の冷蔵庫。
【手続補正２】
【補正対象書類名】明細書
【補正対象項目名】０００５
【補正方法】変更
【補正の内容】
【０００５】
この発明に係る冷蔵庫は、自動製氷機と、この自動製氷機を制御する制御装置とを備えた冷蔵庫において、
制御装置は、
冷蔵庫の運転時間をカウントする運転時間カウント手段を具備し、
運転時間カウント手段がカウントする冷蔵庫の運転時間が所定の時間を超えた場合、製氷にかかる時間が、運転時間カウント手段がカウントする冷蔵庫の運転時間が所定の時間を超えない場合より長くなるように、自動製氷機の製氷完了の条件を変更することを特徴とする。
【手続補正書】
【提出日】平成21年6月29日(2009.6.29)
【手続補正１】
【補正対象書類名】特許請求の範囲
【補正対象項目名】請求項１
【補正方法】変更
【補正の内容】
【請求項１】
騒音の発生源を防音構造で遮蔽した防音空間における防音通気構造であって、空気の  流通を許容する複数の通気空隙部が厚さ方向に形成された板状体を主体となし、該板状  体を少なくとも３層状に積層するとともに、隣接する少なくとも２層の板状体は空気の  流通を利用してその騒音を吸収する所定の厚さの吸音材から形成し、各板状体の積層に  際し、それぞれの各通気空隙部は、各層間の蓮通状態を確保する流通路となすとともに  、最上層の板状体の通気空隙部と最下層の板状体の通気空隙部とが重合しない位置に変  位配置されて該最上層の板状体の通気空隙部を最下層の板状体で間接的に遮蔽するよう  に構成した防音通気構造。
【手続補正書】
【提出日】平成21年3月2日(2009.3.2)
【手続補正１】
【補正対象書類名】明細書
【補正対象項目名】特許請求の範囲
【補正方法】変更
【補正の内容】
【特許請求の範囲】
【請求項１】  情報を格納する情報格納部を有した複数の端末装置に対して供給され得る情報が登録される登録部を備えた情報登録装置であって、
前記複数端末装置の任意端末装置から指定種類の情報を検索し取得を要求するための検索要求を受信して、前記複数端末装置のうち前記任意端末装置を除いた端末装置に送信する検索要求送信手段と、
前記検索要求送信手段により送信された前記検索要求を受信した前記端末装置から、前記検索要求に基づいた前記情報格納部の検索結果を受信する検索結果受信手段と、
前記検索結果受信手段により受信された前記検索結果により示される前記指定種類情報を前記登録部に登録する登録制御手段とをさらに備える、情報登録装置。
【請求項２】  受信した前記検索要求に対応の前記指定種類情報は、前記登録部から検索されて前記任意端末装置に対して送信されて供給される、請求項１に記載の情報登録装置。
【請求項３】  前記検索結果受信手段により受信される前記指定種類情報は、前記登録部に既に登録されている該指定種類情報よりも更新されている、請求項１または２に記載の情報登録装置。
【請求項４】  前記検索結果受信手段により受信される前記指定種類情報は、前記登録部への登録が送信元の前記端末装置において許可されている、請求項１から３のいずれかに記載の情報登録装置。
【請求項５】  前記検索要求送信手段は、
受信された前記検索要求をリストに逐次登録する検索要求登録手段を有して、
所定タイミングごとに、前記リストに登録されている前記検索要求を、前記複数の端末装置の前記任意端末装置を除いた端末装置に送信する、請求項１から４のいずれかに記載の情報登録装置。
【請求項６】  情報を格納する情報格納部を有した複数の端末装置に対して供給され得る情報を、予め準備された登録部に登録するための情報登録方法をコンピュータに実行させるための情報登録プログラムであって、
前記情報登録方法は、
前記複数の端末装置の任意端末装置から指定種類の情報を検索し取得を要求するための検索要求を受信して、前記複数端末装置のうち前記任意端末装置を除いた端末装置に送信する検索要求送信ステップと、
前記検索要求送信ステップにより送信された前記検索要求を受信した前記端末装置から、前記検索要求に基づいた前記情報格納部の検索結果を受信する検索結果受信ステップと、
前記検索結果受信ステップにより受信された前記検索結果により示される前記指定種類情報を、前記登録部に登録する登録制御ステップとを備える、情報登録プログラム。
【請求項７】  請求項６に記載の前記情報登録プログラムを記録した機械読取り可能な記録媒体。
【請求項８】  請求項１に記載の前記端末装置であって、
前記指定種類の情報を検索し取得を要求するための前記検索要求を、前記情報登録装置に対して送信する要求送信手段を備える、端末装置。
【請求項９】  前記情報登録装置の前記検索要求送信手段により送信された前記検索要求を受信し、受信した前記検索要求に基づき、前記情報格納部を検索し、検索結果を前記情報登録装置に送信する、請求項８に記載の端末装置。
【請求項１０】  前記検索要求は、日時データを含み、
前記情報格納部は、情報と、当該情報に対応の更新時間データとが格納されて、
前記端末装置は、
受信した前記検索要求に基づき、前記情報格納部から、当該検索要求の前記日時データと比較して最新の前記更新時間データに対応する前記情報を検索して、前記情報登録装置に送信する、請求項９に記載の端末装置。
【請求項１１】  前記情報格納部は、情報と、当該情報に対応して当該情報を公開するか否かを指示する条件データとが格納されて、
前記端末装置は、
受信した前記検索要求に基づき、前記情報格納部から前記指定情報を検索し、検索した前記指定情報に対応の前記条件データに基づき、当該指定情報を前記情報登録装置に送信するか否かを決定する、請求項９または１０に記載の端末装置。
【請求項１２】  情報を格納する情報格納部を有した複数の端末装置と、前記複数の端末装置に対して通信により供給され得る情報が登録される登録部を含む情報登録装置とを備える情報共有システムであって、
前記情報登録装置は、
前記複数端末装置の任意端末装置から指定種類の情報を検索し取得を要求するための検索要求を受信して、前記複数端末装置のうち前記任意端末装置を除いた端末装置に送信する検索要求送信手段と、
前記検索要求送信手段により送信された前記検索要求を受信した前記端末装置から、前記検索要求に基づいた前記情報格納部の検索結果を受信する検索結果受信手段と、
前記検索結果受信手段により受信された前記検索結果により示される前記指定種類情報を前記登録部に登録する登録制御手段とをさらに含む、情報共有システム。
【手続補正書】
【提出日】平成20年11月28日(2008.11.28)
【手続補正１】
【補正対象書類名】明細書
【補正対象項目名】特許請求の範囲
【補正方法】変更
【補正の内容】
【特許請求の範囲】
【請求項１】
ソース信号線駆動回路と、
第１のゲート信号線駆動回路と、
第２のゲート信号線駆動回路と、
複数の画素を有する画素部と、を有し、
前記第１のゲート信号線駆動回路の走査方向は、前記第２のゲート信号線駆動回路の走査方向と直交し、
前記画素部において、第１の映像、又は前記第１の映像を９０度回転させた第２の映像が表示され、
前記第１の映像を表示する際の前記第１のゲート信号線駆動回路の走査方向は、前記第２の映像を表示する際の前記第１のゲート信号線駆動回路の走査方向と逆であることを特徴とする表示装置。
【請求項２】
ソース信号線駆動回路と、
第１のゲート信号線駆動回路と、
第２のゲート信号線駆動回路と、
複数の画素と、ソース信号線と、第１のゲート信号線と、第２のゲート信号線と、を有する画素部と、を有し、
前記複数の画素はそれぞれ、第１のトランジスタと、第２のトランジスタと、を有し、
前記第１のトランジスタのゲート電極は、前記第１のゲート信号線と電気的に接続され、
前記第１のトランジスタの第１の電極は、前記ソース信号線と電気的に接続され、
前記第１のトランジスタの第２の電極は、前記第２のトランジスタの第１の電極と電気的に接続され、
前記第２のトランジスタのゲート電極は、前記第２のゲート信号線と電気的に接続され、
前記第１のゲート信号線駆動回路の走査方向は、前記第２のゲート信号線駆動回路の走査方向と直交し、
前記画素部において、第１の映像、又は前記第１の映像を９０度回転させた第２の映像が表示され、
前記第１の映像を表示する際は、前記ソース信号線駆動回路の駆動周波数は、前記第１のゲート信号線駆動回路の駆動周波数よりも高く、
前記第２の映像を表示する際は、前記ソース信号線駆動回路の駆動周波数は、前記第１のゲート信号線駆動回路の駆動周波数と同じかより低く、且つ、前記第２のゲート信号線駆動回路の駆動周波数と同じかより高いことを特徴とする表示装置。
【請求項３】
ソース信号線駆動回路と、
第１のゲート信号線駆動回路と、
第２のゲート信号線駆動回路と、
複数の画素と、ソース信号線と、第１のゲート信号線と、第２のゲート信号線と、を有する画素部と、を有し、
前記複数の画素はそれぞれ、第１のトランジスタと、第２のトランジスタと、液晶素子又はＥＬ素子と、を有し、
前記第１のトランジスタのゲート電極は、前記第１のゲート信号線と電気的に接続され、
前記第１のトランジスタの第１の電極は、前記ソース信号線と電気的に接続され、
前記第１のトランジスタの第２の電極は、前記第２のトランジスタの第１の電極に電気的に接続され、
前記第２のトランジスタのゲート電極は、前記第２のゲート信号線に電気的に接続され、
前記第２のトランジスタの第２の電極は、前記液晶素子又はＥＬ素子と電気的に接続され、
前記第１のゲート信号線駆動回路の走査方向と、前記第２のゲート信号線駆動回路の走査方向とが直交することを特徴とする表示装置。
【請求項４】
ソース信号線駆動回路と、
第１のゲート信号線駆動回路と、
第２のゲート信号線駆動回路と、
複数の画素と、ソース信号線と、第１のゲート信号線と、第２のゲート信号線と、電流供給線と、を有する画素部と、有し、
前記複数の画素はそれぞれ、第１のトランジスタと、第２のトランジスタと、第３のトランジスタと、ＥＬ素子と、を有し、
前記第１のトランジスタのゲート電極は、前記第１のゲート信号線と電気的に接続され、
前記第１のトランジスタの第１の電極は、前記ソース信号線と電気的に接続され、
前記第１のトランジスタの第２の電極は、前記第２のトランジスタの第１の電極に電気的に接続され、
前記第２のトランジスタのゲート電極は、前記第２のゲート信号線に電気的に接続され、
前記第２のトランジスタの第２の電極は、前記第３のトランジスタのゲート電極と電気的に接続され、
前記第３のトランジスタの第１の電極は、前記ＥＬ素子と電気的に接続され、
前記第３のトランジスタの第２の電極は、前記電流供給線と電気的に接続され、
前記第１のゲート信号線駆動回路の走査方向と、前記第２のゲート信号線駆動回路の走査方向とが直交することを特徴とする表示装置。
【請求項５】
請求項３又は請求項４において、
前記画素部において、第１の映像、又は前記第１の映像を９０度回転させた第２の映像が表示されることを特徴とする表示装置。
【請求項６】
請求項１、請求項２、又は請求項５において、
前記第１の映像は、前記第１のゲート信号線駆動回路の走査方向に従った向きで表示され、
前記第２の映像は、前記第２のゲート信号線駆動回路の走査方向に従った向きで表示されることを特徴とする表示装置。
【請求項７】
請求項１乃至請求項６のいずれか一項において、
前記ソース信号線駆動回路と、前記第１のゲート信号線駆動回路と、前記第２のゲート信号線駆動回路と、前記複数の画素とは、同一基板上に設けられていることを特徴とする表示装置。
【請求項８】
請求項１乃至請求項７のいずれか一項に記載の表示装置を用いることを特徴とする電子機器。
【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
基質の一方の主表面上に多数の光学的な凸部を形成してなる光学シートにおいて、前記多数の凸部は所定の曲率半径を有し且つ不均一に配置されている、光学シート。
【請求項２】
前記多数の凸部は所定の距離離間してまたは重畳して設けられている請求項１に記載の光学シート。
【請求項３】
前記凸部は半球状である請求項１または２に記載の光学シート。
【手続補正２】
【補正対象書類名】明細書
【補正対象項目名】００２４
【補正方法】変更
【補正の内容】
【００２４】
本発明は前記のような問題点を解決するために提案されたもので、
（１）基質の一方の主表面上に多数の光学的な凸部を形成してなる光学シートにおいて、前記多数の凸部は所定の曲率半径を有し且つ不均一に配置されている、光学シートを提供する。
（２）好ましくは、上記光学シートにおいて前記多数の凸部は所定の距離離間してまたは重畳して設ける。
（３）好ましくは、上記光学シートにおいて前記凸部は半球状である。
【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
被試験デバイス（ＤＵＴ）を測定する方法であって、
（１）パルスドＲＦ入力信号を前記ＤＵＴに印加するステップと、
（２）前記ＤＵＴの出力からのＲＦパルス応答スペクトル内の中央トーンを選択的に測定するレシーバに、前記ＤＵＴの出力を接続するステップと、
（３）ウィンドウ期間内において前記ＤＵＴからのデータ出力をサンプリングするように前記レシーバをトリガするステップと、
（４）前記ウィンドウ期間の後にデータの取得を停止するステップと、
（５）フィルタ条件が満たされたかどうかを決定するステップと、
（６）前記フィルタ条件が満たされていない場合に、前記ウィンドウ期間内において前記ＤＵＴからのデータ出力をサンプリングするように前記レシーバをトリガするステップおよび前記ウィンドウ期間の後にデータの取得を停止するステップを繰り返すステップと、
を含む方法。
【請求項２】
前記データの取得を停止するステップが、第１のウィンドウ期間の立ち下がりエッジから第２のウィンドウ期間の立ち上がりエッジまで実行される、請求項１に記載の方法。
【請求項３】
前記ウィンドウ期間の後にデータの取得を停止するステップが、ゼロ化されたアナログデータを測定するステップ、ゼロ化されたデジタルデータを測定するステップ、デジタルデータにゼロ係数を乗算するステップ、及びデータ収集を停止するステップ、のうちの少なくとも１つを含む、請求項１に記載の方法。
【請求項４】
前記ウィンドウ期間の後にデータの取得を停止するステップが、前記パルスドＲＦ入力信号の雑音部分内において実行される、請求項１に記載の方法。
【請求項５】
ウィンドウ期間内において前記ＤＵＴからのデータ出力をサンプリングするように前記レシーバをトリガするステップが、前記パルスドＲＦ入力信号の雑音部分内において実行される、請求項１に記載の方法。
【請求項６】
前記ウィンドウ期間の後にデータ取得を停止するステップが、前記ウィンドウ期間の後にヌル擬似データを処理するように、デジタル信号プロセッサをプログラムするステップを含む、請求項１に記載の方法。
【請求項７】
ウィンドウ期間内において前記ＤＵＴからのデータ出力をサンプリングするように前記レシーバをトリガするステップが、前記レシーバに外部トリガ信号を提供するステップを含む、請求項１に記載の方法。
【請求項８】
ウィンドウ期間内において前記ＤＵＴからのデータ出力をサンプリングするように前記レシーバをトリガするステップが、前記レシーバにおいて内部トリガ信号を発生させるステップを含む、請求項１に記載の方法。
【請求項９】
前記ウィンドウ期間が、所定のＲＦパルス持続時間に応じて設定される、請求項１に記載の方法。
【請求項１０】
前記ウィンドウ期間が、測定されたＲＦパルス持続期間に応じて設定される、請求項１に記載の方法。
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
絶縁基板と、
前記絶縁基板上の互いに隣接する第１ゲート配線と第１データ配線によって画定されるピクセル領域に形成されたスイッチング素子と、
前記ピクセル領域の中央領域に形成され、メインキャパシターを有するメインピクセル部と、
一端が前記スイッチング素子に電気的に接続されたカップリングキャパシターと、
前記カップリングキャパシターの他端に接続され、少なくとも１つのキャパシターを有し、前記ピクセル領域の残余領域に形成されたサブピクセルと、
を含むことを特徴とするアレイ基板。
【請求項２】
前記メインピクセル部は、前記第１ゲート配線に沿って前記ピクセル領域を２分割することを特徴とする請求項１記載のアレイ基板。
【請求項３】
前記メインピクセル部は、
前記絶縁基板に形成された第２カップリングパターンと、
前記第２カップリングパターンと電気的に接続されるメイン電極と、
を含むことを特徴とする請求項１記載のアレイ基板。
【請求項４】
前記サブピクセル部は、
前記絶縁基板に形成された第１下部ストレージパターンと、
前記第１下部ストレージパターンと電気的に接続される第１サブ電極と、
前記絶縁基板に形成された第２下部ストレージパターンと、
前記第１サブ電極と離間して形成され前記第２下部ストレージパターンと電気的に接続される第２サブ電極と、
を含むことを特徴とする請求項３記載のアレイ基板。
【請求項５】
前記メイン電極には単位ピクセル領域の前記第１ゲート配線と略平行方向の軸を中心として対称である２つのＹ字形状の開口パターンが形成されることを特徴とする請求項４記載のアレイ基板。
【請求項６】
ピクセル領域を有する絶縁基板と、
前記ピクセル領域に形成されたメインゲートラインと、
前記メインゲートラインに接続されたメインスイッチング素子と、
前記メインスイッチング素子に接続され前記単位ピクセル領域の中央領域に形成されたメインピクセル部と、
前記ピクセル領域に形成されたサブゲートラインと、
前記サブゲートラインに接続されたサブスイッチング素子と、
前記ピクセル領域の残余領域に形成されたサブピクセル部と、
を含むことを特徴とするアレイ基板。
【請求項７】
前記ゲートラインと平行に形成された第１下部ストレージパターンと、単位ピクセル領域を横方向に２分割する第１カップリングパターンとをさらに含み、
前記第１カップリングパターンは単位ピクセルの端部領域で前記第１下部ストレージパターンと電気的に接続されることを特徴とする請求項６記載のアレイ基板。
【請求項８】
透明基板及び前記透明基板に形成された共通電極を具備する上部基板と、
互いに隣接する第１ゲート配線と第１データ配線によって画定されるピクセル領域に形成された絶縁基板と、
前記ピクセル領域の中央領域に形成され、メインキャパシターを有するメインピクセル部と、
一端が前記絶縁基板上に形成されたスイッチング素子に電気的に接続されるカップリングキャパシターと、
前記カップリングキャパシターの他端に接続され、少なくとも１つのキャパシターを有し、前記ピクセル領域の残余領域に形成されたサブピクセル部を含む下部基板と、
前記上部基板と前記下部基板との間に介在された液晶層と、
を含むことを特徴とする液晶表示装置。
【請求項９】
前記メインピクセル部及び前記サブピクセル部それぞれには複数の開口パターンが形成され、
液晶表示装置の作動の際、前記ピクセル領域で前記液晶層を複数のドメイン領域に分割するために前記共通電極層に複数の開口パターンが形成されることを特徴とする請求項８記載の液晶表示装置。
【請求項１０】
透明基板及び前記透明基板に形成された共通電極を具備する上部基板と、
絶縁基板と、
前記絶縁基板に形成されゲート信号を伝達するゲートラインと、
前記絶縁基板に形成されデータ信号を伝達するデータラインと、
前記絶縁基板に形成され前記ゲートライン及び前記データラインに電気的に接続されたスイッチング素子と、
前記絶縁基板に形成され前記スイッチング素子に電気的に接続されたメインピクセル部と、
一端が前記スイッチング素子に電気的に接続された第１カップリングキャパシターと、
前記絶縁基板に形成され、前記第１カップリングキャパシターを経由して前記スイッチング素子に電気的に接続された第１サブピクセル部と、
一端が前記スイッチング素子に電気的に接続された第２カップリングキャパシターと、
前記絶縁基板に形成され、前記第２カップリングキャパシターを経由して前記スイッチング素子に電気的に接続された第２サブピクセル部を含む下部基板と、
前記上部基板と前記下部基板との間に介在された液晶層と、
を含むことを特徴とする液晶表示装置。
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
所定の演出表示が行われる表示手段と、
遊技者の操作に応じて変化する遊技状態を検出する遊技状態検出手段と、
前記遊技状態検出手段によって検出された遊技状態に基づいて所定の抽選結果についての抽選を行う抽選手段と、
前記抽選手段による抽選にて所定の抽選結果が得られたとき、遊技者に有利な有利遊技状態を発生させる有利遊技状態発生手段と、
前記抽選手段による抽選の結果に基づいて、少なくとも複数のキャラクタが表示される複数の演出表示態様のうちのいずれかを選択し、該選択された演出表示態様の構成要素となる複数のキャラクタ演出シーン、および、該複数のキャラクタ演出シーンのいずれよりも前記有利遊技状態が発生する期待感が高い高期待演出シーンを、前記表示手段に表示可能な演出表示制御手段と、
を備え、
前記演出表示態様の構成要素となる前記複数のキャラクタ演出シーンには、第一キャラクタ演出シーン、および、該第一キャラクタ演出シーンから発展し、前記有利遊技状態が発生する期待感が該第一キャラクタ演出シーンよりも高い第二キャラクタ演出シーンが少なくとも含まれており、
前記演出表示制御手段は、
前記第一キャラクタ演出シーン、および、該第一キャラクタ演出シーンに続いて表示される前記第二キャラクタ演出シーンを含む複数のキャラクタ演出シーンを、順次、前記表示手段に表示したのちに、前記高期待演出シーンを前記表示手段に表示する発展演出制御手段と、
前記複数のキャラクタ演出シーンのうち所定のキャラクタ演出シーンの表示中に、契機画像が表示されると、該所定のキャラクタ演出シーンの表示途中から、前記有利遊技状態が発生する期待感が最も高い前記高期待演出シーンが、いきなり開始されるように、該高期待演出シーンを表示するハプニング演出制御手段と、
を有しており、
前記ハプニング演出制御手段は、
前記契機画像としての、前記表示手段にて表示中の前記所定のキャラクタ演出シーンの途中で、前記複数のキャラクタのうちの特定キャラクタのみに、当該キャラクタ演出シーンの一連の流れとは異なる動きをさせる画像を表示するとともに、
前記複数のキャラクタのうちの特定キャラクタが前記キャラクタ演出シーンの一連の流れとは異なる動きをしたときに、前記所定のキャラクタ演出シーンの表示途中であるにもかかわらず該所定のキャラクタ演出シーンから変更されるかたちで前記高期待演出シーンを表示する
ことによって、表示手段に表示される演出表示の変化を容易に認識させうるとともに、前記複数のキャラクタ演出シーンのいずれからでも前記高期待演出シーンに変更されうることで遊技者に期待感を与えうるようにした
ことを特徴とする遊技機。
【請求項２】
前記演出表示制御手段は、前記表示手段にて装飾図柄を動的に表示させる図柄制御手段、前記装飾図柄の表示中に前記表示手段にてキャラクタを動的に表示させるキャラクタ制御手段、及び前記キャラクタの表示中に前記表示手段にて背景を動的に表示させる背景制御手段を有するものである
請求項１に記載の遊技機。
【請求項３】
前記特別演出シーンは、前記複数のキャラクタのうちの前記特定キャラクタを用いた演出シーンである
請求項１または２に記載の遊技機。
【手続補正２】
【補正対象書類名】明細書
【補正対象項目名】０００６
【補正方法】変更
【補正の内容】
【０００６】
請求項１に記載の遊技機は、所定の演出表示が行われる表示手段（演出表示装置１１５）と、遊技者の操作に応じて変化する遊技状態を検出する遊技状態検出手段（始動口センサ３１８）と、前記遊技状態検出手段によって検出された遊技状態に基づいて所定の抽選結果についての抽選を行う抽選手段と、前記抽選手段による抽選にて所定の抽選結果が得られたとき、遊技者に有利な有利遊技状態を発生させる有利遊技状態発生手段と、前記抽選手段による抽選の結果に基づいて、少なくとも複数のキャラクタが表示される複数の演出表示態様のうちのいずれかを選択し、該選択された演出表示態様の構成要素となる複数のキャラクタ演出シーン（演出シーン）、および、該複数のキャラクタ演出シーンのいずれよりも前記有利遊技状態が発生する期待感が高い高期待演出シーン（特別演出シーン）を、前記表示手段に表示可能な演出表示制御手段と、を備え、前記演出表示態様の構成要素となる前記複数のキャラクタ演出シーン（第一演出シーン〜第三演出シーン）には、第一キャラクタ演出シーン（第一演出シーン）、および、該第一キャラクタ演出シーンから発展し、前記有利遊技状態が発生する期待感が該第一キャラクタ演出シーンよりも高い第二キャラクタ演出シーン（第二演出シーン）が少なくとも含まれており、前記演出表示制御手段は、前記第一キャラクタ演出シーン、および、該第一キャラクタ演出シーンに続いて表示される前記第二キャラクタ演出シーンを含む複数のキャラクタ演出シーンを、順次、前記表示手段に表示したのちに、前記高期待演出シーンを前記表示手段に表示する発展演出制御手段（演出シーン制御手段４１７）と、前記複数のキャラクタ演出シーンのうち所定のキャラクタ演出シーンの表示中に、契機画像が表示されると、該所定のキャラクタ演出シーンの表示途中から、前記有利遊技状態が発生する期待感が最も高い前記高期待演出シーンが、いきなり開始されるように、該高期待演出シーンを表示するハプニング演出制御手段（演出シーン変更手段４１８）と、を有しており、前記ハプニング演出制御手段は、前記契機画像としての、前記表示手段にて表示中の前記所定のキャラクタ演出シーンの途中で、前記複数のキャラクタのうちの特定キャラクタのみに、当該キャラクタ演出シーンの一連の流れとは異なる動きをさせる画像を表示するとともに、前記複数のキャラクタのうちの特定キャラクタが前記キャラクタ演出シーンの一連の流れとは異なる動きをしたときに、前記所定のキャラクタ演出シーンの表示途中であるにもかかわらず該所定のキャラクタ演出シーンから変更されるかたちで前記高期待演出シーンを表示することによって、表示手段に表示される演出表示の変化を容易に認識させうるとともに、前記複数のキャラクタ演出シーンのいずれからでも前記高期待演出シーンに変更されうることで遊技者に期待感を与えうるようにしたものである。
請求項２に記載の遊技機は、請求項１に記載の遊技機において、前記演出表示制御手段は、前記表示手段にて装飾図柄を動的に表示させる図柄制御手段、前記装飾図柄の表示中に前記表示手段にてキャラクタを動的に表示させるキャラクタ制御手段、及び前記キャラクタの表示中に前記表示手段にて背景を動的に表示させる背景制御手段を有することを要旨とするものである。
請求項３に記載の遊技機は、請求項１または２に記載の遊技機において、前記特別演出シーンは、前記複数のキャラクタのうちの前記特定キャラクタを用いた演出シーンであることを要旨とするものである。
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
遊技者による遊技に基づいて抽選を行う抽選手段と、
該抽選手段によって行われた抽選の結果に基づいて遊技者に有利な有利遊技状態を発生させる有利遊技状態発生手段と、
図柄を表示することで前記抽選手段の抽選結果に関する情報を遊技者に提供する表示手段と、
該表示手段にて、前記図柄を変動させた後に確定させる変動演出を現出させる変動演出現出手段と、
変動演出中の前記表示手段にて、前記変動演出とは異なる態様の付加演出を複数のタイミングで現出可能とした付加演出現出手段と、
前記変動演出現出手段により現出させる変動演出の変動パターンとして、前記抽選手段の抽選結果に基づいて複数種類の中から変動パターンを選出する変動パターン選出手段とを備え、
前記付加演出現出手段は、
複数種類の中から、前記変動パターン選出手段により選出された変動パターンに応じた付加演出を選出する変動パターン対応付加演出選出手段と、
前記付加演出として所定の現出体を演出進行中に唐突的に現出させる現出体選出手段とを有することを特徴とする遊技機。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
遊技球が入球可能な入球手段と、前記入球手段への入球を検出する検出手段と、前記検出手段での入球検出に基づいて、遊技者にとって有利な特別遊技状態の発生の有無についての抽選をする抽選手段を含む主制御手段と、前記抽選手段での抽選結果を示唆表示する表示手段と、始動条件が成立することに起因して識別情報を前記表示手段に変動表示し、前記抽選手段の結果に基づいた変動表示パターンの表示演出をさせる表示制御手段と、前記特別遊技状態が発生した場合に、複数個の遊技球を同時に入球可能とするように入球口を開閉する入賞手段とを備えた遊技機において、
前記表示制御手段は、
前記抽選手段による抽選の結果が特別遊技状態となる場合、前記表示手段に特別遊技状態の確定を示す識別情報を停止させる前に、特別遊技状態となることを示す特定の表示演出を行うように前記変動表示パターンを実行する表示パターン実行手段を含み、
前記主制御手段は、
前記表示制御手段により表示手段に特別遊技状態の確定を示す識別情報が表示されるタイミングと同期して、前記入賞手段を開閉作動させる開閉同期手段を
を備えたことを特徴とする遊技機。
【請求項２】
請求項１に記載の遊技機において、
前記表示制御手段は、前記抽選手段の抽選結果に応じた複数種類の表示演出の変動表示パターンを記憶した変動表示パターン記憶手段を含み、
前記表示パターン実行手段は、前記抽選手段による抽選結果が特別遊技状態となる場合に、特別遊技状態となることの指示を前記主制御手段から受けると、特別遊技状態の確定を示す識別情報が停止される前に、祝福の表示演出が実行される態様の変動表示パターンを前記変動表示パターン記憶手段から選択する
ことを特徴とする遊技機。
【請求項３】
請求項２に記載の遊技機において、
前記表示制御手段は、前記抽選手段による抽選結果に応じて所定時間実行される通常表示演出を決める複数個の通常変動表示パターンを記憶した通常変動表示パターン記憶手段と、
前記抽選手段の抽選結果が特別遊技状態となる場合に、通常変動表示パターンとは別に実行される祝福の表示演出用の祝福変動表示パターンを記憶した祝福変動表示パターン記憶手段とを含み、
前記表示パターン実行手段は、前記抽選手段による抽選結果が特別遊技状態となることの指示を前記主制御手段から受けたとき、前記通常変動表示パターン記憶手段と前記祝福変動表示パターン記憶手段のそれぞれから、１つの変動表示パターンを選択する変動表示パターン選択手段と、
選択された前記通常変動表示パターンに基づく通常表示演出内に、同じく選択された前記祝福変動表示パターンに基づくの祝福の表示演出を組み込み調整する変動表示パターン調整手段と、
を備え、
前記表示制御手段は、前記通常変動表示パターン記憶手段から選択された通常変動パターンに基づいて通常表示演出が実行されているときの経過時間を計数する計数手段を備え、
前記通常変動表示パターン記憶手段および祝福変動表示パターン記憶手段のそれぞれに記憶された両変動表示パターンは、実行させる表示演出の時間情報を含み、
前記変動表示パターン調整手段は、選択された両変動表示パターンの時間情報を読み取り、祝福変動表示パターンに基づく表示演出の時間分を前記通常変動パターンの表示演出の時間から減算し、減算前の通常変動パターンに基づく表示演出の時間内に、祝福の表示演出を組み込んで実行させるように調整する
ことを特徴とする遊技機。
【請求項４】
請求項３に記載の遊技機において、
前記通常表示演出は、識別情報が認識できない速度で高速移動する第１期間と、識別情報の移動が認識でき、特別遊技状態となることを期待させる演出が実行される第２期間とから構成され、
前記変動表示パターン調整手段は、前記通常変動表示パターンに含まれる時間情報のうち表示演出の前記第１期間分から前記祝福変動表示パターンの時間情報を減算する
ことを特徴とする遊技機。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
遊技機製品の生産主体から遊技場の１次運営主体に納入するべき新規の遊技機製品に関する製品情報を記録する製品情報記録手段と、  新規の遊技機製品と入れ替わりに前記１次運営主体から他の２次運営主体に既存の遊技機製品が中古品として移転されるとき、前記２次運営主体からの通知に基づいて前記中古品となる遊技機製品の移転先を記録する移転先記録手段と、
を具備したことを特徴とする遊技機製品の情報管理システム。
【請求項２】
遊技機製品の情報管理システムにおいて、
遊技機製品の生産主体から遊技場の１次運営主体に納入するべき新規の遊技機製品に関する製品情報を記録する製品情報記録手段と、
前記生産主体から新規の遊技機製品に付随して回収台管理票が前記１次運営主体に発行されるとき、前記回収台管理票に付された識別情報を記録する識別情報記録手段と、
前記１次運営主体から他の２次運営主体に既存の遊技機製品が流通品として移転されるとき、前記１次運営主体または前記２次運営主体からの通知に基づいて提供される情報から流通品となる遊技機製品に付随して前記回収台管理票の移転があることを確認する管理票移動確認手段と、
を備えていることを特徴とする遊技機製品の情報管理システム。
【請求項３】
請求項２記載の遊技機製品の情報管理システムにおいて、
前記遊技機製品の移転が複数回にわたって行われる場合、その都度、前記２次運営主体または３次運営主体からの通知に基づいて提供される情報から前記遊技機製品の情報管理システムにおいて前記製品情報を特定し、これと合わせて前記回収台管理票の前記識別情報を記録することを特徴とする遊技機製品の情報管理システム。
【請求項４】
請求項２または請求項３記載の遊技機製品の情報管理システムにおいて、
前記管理票移動確認手段により前記回収台管理票の移転があることが確認されたとき、前記１次運営主体から前記３次運営主体のいずれかからの通知に基づいて提供される情報から前記回収台管理票の発行元となる遊技機製品の生産主体を識別する識別手段と、
この識別手段により識別された前記回収台管理票の発行元である遊技機製品の生産主体が流通品となる遊技機製品の生産主体と相違するとき、前記回収台管理票の発行元である遊技機製品生産主体に対して前記回収台管理票の移転先となる前記２次運営主体または前記３次運営主体に関する情報を知らせるための回収台管理票移動通知を出力する通知出力手段とをさらに備えている
ことを特徴とする遊技機製品の情報管理システム。
【請求項５】
遊技機製品の情報管理システムにおいて、
遊技機製品の生産主体からその出荷先となる遊技場の１次運営主体に納入するべき新規の遊技機製品に関する製品情報を記録する製品情報記録手段と、
前記生産主体から新規の遊技機製品に付随して回収台管理票が１次運営主体に発行されるとき、前記回収台管理票に付された識別情報を記録する識別情報記録手段と、
前記１次運営主体から他の２次運営主体に既存の遊技機製品が流通品として移転されるとき、前記１次運営主体または前記２次運営主体からの通知に基づいて提供される情報から流通品となる遊技機製品に付随して前記回収台管理票の移転があるか否かを確認し、その有無を記録する管理票移動記録手段とを備えている
ことを特徴とする遊技機製品の情報管理システム。
【請求項６】
請求項５記載の遊技機製品の情報管理システムにおいて、
前記２次運営主体からさらに他の３次運営主体に流通品となる遊技機製品が移転されるとき、前記２次運営主体または前記３次運営主体からの通知に基づいて提供される情報から流通品となる遊技機製品に付随して前記回収台管理票の移転があるか否かを確認し、その有無をさらに記録する
ことを特徴とする遊技機製品の情報管理システム。
【請求項７】
請求項５または請求項６記載の遊技機製品の情報管理システムにおいて、
前記管理票移動記録手段により前記回収台管理票の移転があることが確認されたとき、前記１次運営主体から前記３次運営主体のいずれかからの通知に基づいて提供される情報から前記回収台管理票の発行元となる遊技機製品の生産主体を識別する識別手段と、
この識別手段により識別された前記回収台管理票の発行元である生産主体が流通品となる遊技機製品の生産主体と相違するとき、前記回収台管理票の発行元である生産主体に対し前記回収台管理票の移転先となる前記２次運営主体または前記３次運営主体に関する情報を知らせるための回収台管理票移動通知を出力する通知出力手段とをさらに備える
ことを特徴とする遊技機製品の情報管理システム。